(57)【要約】      （修正有）【課題】回転テーブル上の展示物に見学者等が接触し、展示物がずれたり、展示物の下に敷いてある敷物をずれたりしないようにした回転テーブルを提供する。【解決手段】台座１に、軸受３−１、３−２を介して伝達シャフト２を回動自在に嵌合し、伝達シャフトの下端中心にはモーターMの軸芯を固着し、伝達シャフト２の上端には、軸受４−１、４−２を介して回転テーブル４を回動自在に嵌合し、該軸受をインナーレース、アウターレースとその間に玉、ころ、円錐ころのいずれかを具えたスラスト加重およびラジアル加重を共に受けることができるものとし、かつ、トルクリミッタを具え、これらの軸受の間に挟まれて、ブッシュＢが伝達シャフト２に回転しないように嵌合され、ブッシュＢの外周には、回転テーブル４の外周に向かって伸びる回動棒９を固着し、回動棒９の外側先端は、回転テーブル４の外周底部と係合または離脱できるように構成されている。【選択図】図１
2016097149.tif 000002
【特許請求の範囲】
【請求項１】
床上に設置できる底面を具えた台座の中心部に、軸受を介して伝達シャフトを回動自在に嵌合し、前記伝達シャフトの下端中心には、前記台座に固定されたモーターの軸芯を固着し、前記伝達シャフトの上端には、軸受を介して回転テーブルを回動自在に嵌合し、前記軸受をインナーレース、アウターレースとその間に玉、ころ、円錐ころのいずれかを具えたスラスト加重およびラジアル加重を共に受けることができるものとし、かつ、インナーレースの外周の周速を１秒あたり５ｍｍ以下とし、１ｋｇｆ以上の静圧加重が作用する状態では前記アウターレースが回転しないものとしてトルクリミッタとしての機能を具えたものとし、これらの軸受の間に挟まれて、ブッシュが前記伝達シャフトに回転しないように嵌合され、前記ブッシュの外周には、前記回転テーブルの外周に向かって伸びる回動棒を固着し、該回動棒の外側先端は、前記回転テーブルの外周底部と係合または離脱できるように構成されていることを特徴とする構成されていることを特徴とする回転展示台。
【請求項２】
床上に設置できる底面を具えた台座の中心部に、軸受を介して伝達シャフトを回動自在に嵌合し、前記伝達シャフトの下端中心には、前記台座に固定されたモーターの軸芯を固着し、前記伝達シャフトの上端には、軸受を介して回転テーブルを回動自在に嵌合し、前記軸受をインナーレース、アウターレースとその間に玉、ころ、円錐ころのいずれかを具えたスラスト加重およびラジアル加重を共に受けることができるものとし、かつ、インナーレースの外周の周速を１秒あたり５ｍｍ以下とし、１ｋｇｆ以上の静圧加重が作用する状態では前記アウターレースが回転しないものとしてトルクリミッタとしての機能を具えたものとし、前記軸受のアウターレースに回転テーブル支持体の下端を回転しないように嵌合し、前記回転テーブル支持体の上端に穿設した差し込み穴には前記回転テーブルの支柱を嵌合し、ネジで係止し、前記回転テーブル支持体の外周には、該回転テーブル外周に向かって伸びる合わせ棒を固着し、前記軸受けと軸受けの間に挟まれて、ブッシュが前記伝達シャフトに回転しないように嵌合され、前記ブッシュの外周に向かって伸びる回動棒を固着し、該回動棒の外側先端には、前記回転テーブルの外周底部と係合または離脱できるように構成されていることを特徴とする構成されていることを特徴とする回転展示台。
【請求項３】
台座を６角形とし、前記台座の六つの外側面に太陽電池を固定し、前記太陽電池を駆動源とすることを特徴とする請求項１又は２のいずれかに記載の回転展示台。
【請求項４】
台座を円筒形とし、前記台座の円筒形の外側面に、円弧上の太陽電池を複数枚固定し、前記太陽電池を駆動源とすることを特徴とする請求項１又は２のいずれかに記載の回転展示台。
【請求項５】
低層連続回転スイッチ及び低速反復回転スイッチを設け、回転テーブルの回転を連続回転又は１５０°前後の反復動としたことを特徴とする請求項１ないし請求項３のいずれかに記載の回転展示台。
【発明の詳細な説明】
【技術分野】
【０００１】
本発明は、駆動装置を有する回転テーブルを具えたものであって、回転テーブル上の展示物に見学者等が接触した場合に、回転テーブルを停止することができ、駆動電源として太陽電池を用いることができる回動展示台に関するものである。
【背景技術】
【０００２】
デパート、ショッピングセンター等おいて、商品、展示用マネキン人形等の展示物を乗せる回転テーブルを具え、該回転テーブルが駆動装置で駆動される回動展示台は従来から知られている（例えば特許文献１参照）。
【特許文献１】特開２００４−８５００号公報
【発明の開示】
【発明が解決しようとする課題】
【０００３】
前記した文献１記載の回動展示台では、回転テーブル上の展示物に見学者等が接触すると、展示物がずれたり、展示物の下に敷いてある敷物をずれたりする。
また、展示用マネキン人形等の大型の展示物は、回転テーブルに置くだけでなく固着されている場合が多いので、回動展示台全体が床上を移動してしまうことになる。
さらに、回転テーブルが一方向に連続回転するだけのものであるため、展示効果が低かった。
そして、従来の回動展示台では、回転テーブルの駆動源として商用電源を使用しているので、電源を外部から供給する必要があった。
【０００４】
本発明は、前記の問題を解決することを課題とし、回転テーブル上の展示物に見学者等が接触した場合に回転テーブルを停止し、回転テーブルを一方向に連続回転するだけでなく、往復動可能なものとし、太陽電池を駆動源とする回動展示台を提供することを目的とする。
【課題を解決するための手段】
【０００５】
本発明は、前記の課題を解決するために、回動展示台であって、床上に設置できる底面を具えた台座１の中心部に、軸受３−１、３−２を介して伝達シャフト２を回動自在に嵌合し、伝達シャフトの下端中心には、台座１に固定されたモーターＭの軸芯を固着し、伝達シャフト２の上端には、軸受４−１、４−２を介して回転テーブル４を回動自在に嵌合し、該軸受をインナーレース、アウターレースとその間に玉、ころ、円錐ころのいずれかを具えたスラスト加重およびラジアル加重を共に受けることができるものとし、かつ、インナーレースの外周の周速を１秒あたり５ｍｍ以下とし、１ｋｇf以上の静圧加重が作用する状態ではアウターレースが回転しないものとしてトルクリミッタとしての機能を具えたものとし、これらの軸受の間に挟まれて、ブッシュＢが伝達シャフト２に回転しないように嵌合され、ブッシュＢの外周には、回転テーブル４の外周に向かって伸びる回動棒９を固着し、回動棒９の外側先端は、回転テーブル４の外周底部と係合または離脱できるように構成されていることを特徴とする構成を採用する。
【０００６】
本発明は、前記の課題を解決するために、回動展示台であって、床上に設置できる底面を具えた台座１の中心部に軸受３−１、３−２を介して伝達シャフト２が回動自在に嵌合し、伝達シャフト２の下端中心には、台座１に固定されたモーターＭの軸芯を固着し、伝達シャフト２の上端には、軸受４−１、４−２を介して回転テーブル４を回動自在に嵌合し、該軸受をインナーレース、アウターレースとその間に玉、ころ、円錐ころのいずれかを具えたスラスト加重およびラジアル加重を共に受けることができるものとし、かつ、インナーレースの外周の周速を１秒あたり５ｍｍ以下とし、１ｋｇf以上の静圧加重が作用する状態ではアウターレースが回転しないものとしてトルクリミッタとしての機能を具えたものとし、軸受４−１、４−２のアウターレースに回転テーブル支持体４−３の下端を回転しないように嵌合し、回転テーブル支持体４−３の上端に穿設した差し込み穴５には回転テーブル４の支柱７を嵌合し、ネジ６で係止し、回転テーブル支持体４−３の外周には、回転テーブル４の外周に向かって伸びる合わせ棒１１-１を固着し、合わせ棒１１-１の先端は回転テーブル４の外周に固定し、軸受４−２と軸受３−１の間に挟まれて、ブッシュＢが伝達シャフト２に回転しないように嵌合され、ブッシュＢの外周には、回転テーブル４の外周に向かって伸びる回動棒９を固着し、回動棒９の外側先端は、回転テーブル４の外周底部と係合または離脱できるように構成されていることを特徴とする構成を採用する。
【０００７】
本発明は、前記の課題を解決するために、回動展示台であって、台座１を６角柱形とし、台座１の六つの外側面に太陽電池ｔを固定し、太陽電池ｔを駆動源とすることを特徴とする構成を採用する。
【０００８】
本発明は、前記の課題を解決するために、回動展示台であって、台座１を円筒形とし、台座１の円筒形の外側面に、円弧板状の太陽電池ｔを複数枚固定し、太陽電池ｔを駆動源とすることを特徴とする構成を採用する。
【０００９】
本発明は、前記の課題を解決するために、回動展示台であって、低速連続回転スイッチｂを設け、回転テーブルの回転を連続回転としたことを特徴とする構成を採用する。
【００１０】
本発明は、前記の課題を解決するために、回動展示台であって、低速反復回転スイッチｃを設け、回転テーブルの回転を１５０°前後の反復動としたことを特徴とする構成を採用する。
【発明の効果】
【００１１】
回転テーブル上の展示物に見学者等が接触して回転テーブルに外部からの負荷を受けた時に回転テーブルを自動的に停止できるので、展示物がずれたり、展示物の下に敷いてある敷物をずれたり、また、展示用マネキン人形等の大型の展示物が回転テーブルに固着されている場合において回動展示台全体が床上を移動してしまうことがない。
【００１２】
回転テーブルを自動的に停止させる手段として、伝達シャフトと伝達シャフトに嵌合されたブッシュとの相対的な滑りを利用しているので、トルクリミッタ等の複雑かつ高価なトルク制御手段を必要としない。
また、ブッシュを設けただけであるから、回転テーブルを自動的に停止させる手段を設けるためのスペースを必要としないので、装置全体を小型にできる。
【００１３】
回転テーブルを所定の回転角度で反復動可能なものとし、見学者が多い方向だけを展示物が向くようにしたので展示効果を大きくできる。
【００１４】
回動展示台は、明るい場所に設置されるから、太陽電池を使用するにあたり、十分な光源を得ることができ、かつ回転テーブルは駆動するのに大きな駆動力を必要としないので、太陽電池からの電力で十分に駆動できる。
また、太陽電池は大きな電力を発生させることができないので、回転テーブルに外部からの負荷を受けた時に回転テーブルを自動的に停止する。
したがって、太陽電池の特性を相乗的に利用することができる。
さらに、太陽電池を使用した場合には、外部からの配線を必要とないので、多数の人が通過する展示場では配線に引っかからないという回動展示台としての特有のに効果を発揮する。
【発明を実施するための最良の形態】
【００１５】
次に、本発明の回動展示台について、実施例を挙げて図面を参照して説明する。
【実施例１】
【００１６】
図１は実施例１の縦断面図、図２は実施例１の平面図である。
これらの図に示すごとく、台座１は、床上に設置できる底面を具えた６角形または円形の碗を伏せた形状をしている。
台座１を６角形とした場合には、台座１の六つの外側面に、図２に示すようにはめ込み枠ｐを設け、このはめ込み枠ｐに平板状の太陽電池ｔをはめ込み固定する。
台座１を円形とした場合には、台座１の円筒形の外側面に、図７に示すように両端に突起壁ｋを具えた固定体ｖの間に円弧板状の太陽電池ｔ両端をはめ込み固定する。
【００１７】
図３に示すように、台座１の上部盤部の中心部の下部にはモーターMがボルト１５よって固着され、上部には中空円筒形状の外枠８がボルト１６によって固着されている。
外枠８の内周には、間隔をおいて設けた二つのころがり軸受３−１、３−２を介して伝達シャフト２が回動自在に嵌合されている。
モーターMは、図３に示すようにボルト１６により台座１の中心部に固着されている。
【００１８】
伝達シャフト２の上端には、間隔をおいて設けた二つのころがり軸受４−１、４−２を介して回転テーブル４が回動自在に嵌合されている。
この軸受をインナーレース、アウターレースとその間に玉、ころ、円錐ころのいずれかを具えたスラスト加重およびラジアル加重を共に受けることができるものとし、かつ、インナーレースの外周の周速を１秒あたり５ｍｍ以下とし、１ｋｇｆ以上の静圧加重が作用する状態ではアウターレースが回転しないものとしてトルクリミッタとしての機能を具えたものとする。
伝達シャフト２の下端中心には、モーターＭの軸芯が固着されている。
回転テーブル４の上面は、展示用マネキン人形等が搭載でき、必要に応じて、搭載物を固定する手段を設ける。
【００１９】
ころがり軸受４−２の下端ところがり軸受３−１の上端との間に挟まれて、ブッシュＢが伝達シャフト２に回転しないように嵌合されている。
【００２０】
ブッシュＢの外周には、支持体１１が六角ボルト１２により固着され、支持体１１には、ボルト１４により維持部材１３が固着され、維持部材１３には、回転テーブル４の外周に向かって伸びる回動棒９が固着されている。
回動棒９の外側先端は、回転テーブル４の外周底部に設けた合わせ部１０と係合または離脱できるように構成されている。
【００２１】
駆動制御部ｄと電気配線とは、図５に示すとおりである。
駆動制御部ｄには、モーターＭ、低速連続回転スイッチｂ、低速反復回転スイッチｃおよび太陽電池ｔが接続されている。
駆動制御部ｄは、台座１の上部盤部に下面に取り付け、低速連続回転スイッチｂおよび低速反復回転スイッチｃは、台座１の上部盤部に上面に取り付ける。
低速連続回転スイッチｃを選択した時には、連続回動し、低速反復回転スイッチｃを選択した時には、見学者が多い方向１５０°前後の反復動が可能となる。
商用電源を使用する場合には、駆動制御部ｄに商用電源を接続する。
【００２２】
本発明の回動展示台において、回転テーブル４上の展示物に見学者等が接触せず、正常に回転している状態の動作について説明する。
太陽電池ｔを電源とするモーターMにより駆動される伝達シャフト２のトルクは、伝達シャフト２の上端には、間隔をおいて設けた二つのころがり軸受４−１、４−２を介して回転テーブル４に伝達される。
この際のトルク伝達力は、インナーレースの外周の周速を１秒あたり５ｍｍ以下とし、１ｋｇｆ以上の静圧加重が作用する状態ではアウターレースが回転しないものとしてトルクリミッタとしての機能によるものである。
そして、回転テーブル４は、インナーレースの外周の周速を１秒あたり５ｍｍ以下となる低速回転するものであり、かつ、１ｋｇｆ以上の静圧加重が作用するものであるから、外部から力が加わらない正常に回転している状態においては、十分なトルク伝達力を得ることができる。
また、商用電源を使用することもできるが、正常に回転している状態の動作においては、大きなトルクを必要としないので、太陽電池の電力でも十分に回転させることができる。
【００２３】
本発明の回動展示台において、回転テーブル４上の展示物に見学者等が接触して回転テーブル４に外部からの負荷を受けた状態の動作について説明する。
回転テーブル４に、ころがり軸受４−１、４−２のトルク伝達力を越える外力が作用すると、ころがり軸受４−１、４−２のインナーレースとアウターレースとは相対的に回転し、伝達シャフト２は空転して回転テーブル４は停止する。
ころがり軸受４−１、４−２のトルク伝達力は小さなものであるから、小さな外力にも敏感に作用し、安全な回動展示台とすることができる。
また、回転テーブル４に外部からの負荷を受けた状態においては、大きなトルクが作用するので、太陽電池の電力では、回転させるとことができず停止するので、この点においても太陽電池を用いたことによる相乗効果がある。
さらに、回動棒９の外側先端を回転テーブル４の合わせ部１０に係合した場合には、トルクリミッタを作用させないで、強制回転させることもできる。
【実施例２】
【００２４】
図７は実施例２の縦断面図である。
実施例１との基本的な相違点は、さらに合わせ棒１１−１を設けた点である。
実施例１では、伝達シャフト２の上端に二つのころがり軸受４−１、４−２を介しただけ、すなわち軸受４−１、４−２のアウターレースに回転テーブル４が回転しないように嵌合して直接取り付けられている。
これに対して、実施例２では、軸受４−１、４−２のアウターレースに回転テーブル支持体４−３の下端に回転しないように嵌合し、回転テーブル支持体４−３上端に穿設した差し込み穴５には回転テーブル４の支柱７を嵌合し、ネジ６で係止する。
回転テーブル支持体４−３の外周には、回転テーブル４の外周に向かって伸びる合わせ棒１１-１が固着され、合わせ棒１１-１の先端は回転テーブル４の外周に固定する。
【産業上の利用可能性】
【００２５】
本発明は下記の装置として利用できる。
１  デパート、ショッピングセンター等おいて、商品、展示用マネキン人形等の展示物を乗せる回転テーブルを具え、該回転テーブルが駆動装置で駆動される回動展示台。
２  小さな負荷で停止する必要がある回転テーブル。
【図面の簡単な説明】
【００２６】
【図１】本発明の実施例１の縦断面図である。
【図２】本発明の実施例１の平面図である。
【図３】モーターを取り付けた部分の底面図である。
【図４】モーターを取り付けた部分の縦断面図である。
【図５】電気配線図である。
【図６】本発明の実施例２の縦断面図である。
【図７】本発明の平面断面図である。
【符号の説明】
【００２７】
１            台座
２            伝達シャフト
３−１        軸受
３−２        軸受
４            回転テーブル
４−１        軸受
４−２        軸受
４−３        回転テーブル支持体
５            差し込み穴
６            ネジ
７            支柱
８            外枠
９            回動棒
１０          合わせ部
１１          支持体
１１−１      合わせ棒
１２          六角ボルト
１３          維持部材
１４          ボルト
１５          ボルト
１６          ボルト
Ｂ          ブッシュ
ｂ          低速連続回転スイッチ
ｃ          低速反復回転スイッチ
ｄ          駆動制御部
Ｍ          モーター
ｔ          太陽電池
ｖ          固定体
【図１】
2016097149.tif 000003
【図２】
2016097149.tif 000004
【図３】
2016097149.tif 000005
【図４】
2016097149.tif 000006
【図５】
2016097149.tif 000007
【図６】
2016097149.tif 000008
【図７】
2016097149.tif 000009
【手続補正書】
【提出日】平成28年2月1日(2016.2.1)
【手続補正１】
【補正対象書類名】特許請求の範囲
【補正対象項目名】全文
【補正方法】変更
【補正の内容】
【特許請求の範囲】
【請求項１】
床上に設置できる底面を具えた台座と、前記台座の中心部に第１の軸受を介して回動自在に嵌合された伝達シャフトと、前記台座に固定され、その軸芯が前記伝達シャフトの下端中心に固着されるモーターと、前記伝達シャフトの上端に第２の軸受を介して回動自在に嵌合された回転テーブルとからなる回転展示台であって、前記第２の軸受をインナーレース、アウターレースとその間に玉、ころ、円錐ころいずれかを具えたスラスト荷重およびラジアル荷重を共に受けることができるものとし、かつ、インナーレースの外周の周速を１秒あたり５ｍｍ以下とし、１ｋｇ以上の静荷重が作用する状態では前記アウターレースが回転しないものとしてトルクリミッタとしての機能を具えたものとしたことを特徴とする回転展示台。
【請求項２】
前記台座を６角形とし、前記台座の六つの外側面にそれぞれ太陽電池を具え、前記太陽電池を駆動源とすることを特徴とする請求項１に記載の回転展示台。
【請求項３】
前記台座を円筒形とし、前記台座の円筒形の外側面に円弧状の複数枚の太陽電池を具え、前記太陽電池を駆動源とすることを特徴とする請求項１に記載の回転展示台。
【請求項４】
低速連続回転スイッチ及び低速反復回転スイッチを設け、前記回転テーブルの回転を連続回転又は１５０°前後の反復動としたことを特徴とする請求項１ないし請求項３のいずれかに記載の回転展示台。
【手続補正２】
【補正対象書類名】明細書
【補正対象項目名】０００５
【補正方法】変更
【補正の内容】
【０００５】
本発明は、前記の課題を解決するために、回転展示台であって、床上に設置できる底面を具えた台座１と、台座１の中心部に第１の軸受３−１、３−２を介して回動自在に嵌合された伝達シャフト２と、台座１に固定され、その軸芯が伝達シャフト２の下端中心に固着されるモーターＭと、伝達シャフト２の上端に第２の軸受４−１、４−２を介して回動自在に嵌合された回転テーブル４とからなる回転展示台であって、第２の軸受４−１、４−２をインナーレース、アウターレースとその間に玉、ころ、円錐ころいずれかを具えたスラスト荷重およびラジアル荷重を共に受けることができるものとし、かつ、インナーレースの外周の周速を１秒あたり５ｍｍ以下とし、１ｋｇ以上の静荷重が作用する状態ではアウターレースが回転しないものとしてトルクリミッタとしての機能を具えたものとしたことを特徴とする構成を採用する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明は、前記の課題を解決するために、回転展示台であって、  台座１を６角形とし、台座１の六つの外側面にそれぞれ太陽電池ｔを具え、太陽電池ｔを駆動源とすることを特徴とする構成を採用する。
【手続補正５】
【補正対象書類名】明細書
【補正対象項目名】０００８
【補正方法】変更
【補正の内容】
【０００８】
本発明は、前記の課題を解決するために、回転展示台であって、  台座１を円筒形とし、台座の１円筒形の外側面に円弧状の複数枚の太陽電池ｔを具え、太陽電池ｔを駆動源とすること特徴とする構成を採用する。
【手続補正６】
【補正対象書類名】明細書
【補正対象項目名】００１８
【補正方法】変更
【補正の内容】
【００１８】
伝達シャフト２の上端には、間隔を置いて設けた二つのころがり軸受４−１、４−２を介して回転テーブル４が回動自在に嵌合されている。
この軸受をインナーレース、アウターレースとその間に玉、ころ、円錐ころのいずれかを具えたスラスト荷重およびラジアル荷重を共に受けることができるものとし、かつ、インナーレースの外周の周速を１秒あたり５ｍｍ以下とし、１ｋｇ以上の静荷重が作用する状態ではアウターレースが回転しないものとしてトルクリミッタとしての機能を具えたものとずる。
伝達シャフト２の下端中心には、モーターＭの軸芯が固着されている。
回転テーブル４の上面は、展示用マネキン人形等が搭載でき、必要に応じて、搭載物を固定する手段を設ける。
【手続補正７】
【補正対象書類名】明細書
【補正対象項目名】００２２
【補正方法】変更
【補正の内容】
【００２２】
本発明の回転展示台において、回転テーブル４上の展示物に見学者が接触せず、正常に回転している状態の動作について説明する。
太陽電池ｔを電源とするモーターＭにより駆動される伝達シャフト２のトルクは、伝達シャフト２の上端に間隔をおいて設けた二つのころがり軸受４−１、４−２を介して回転テーブル４に伝達される。
この際のトルク伝達力は、インナーレースの外周の周速を１秒あたり５ｍｍ以下とし、１ｋｇ以上の静荷重が作用する状態ではアウタレースが回転しないものとしてトルクリミッタとしての機能によるものである。
そして、回転テーブル４は、インナーレースの外周の周速を１秒あたり５ｍｍ以下となる低速回転するものであり、かつ、１ｋｇ以上の静荷重が作用するものであるから、外部から力が加わらない正常に回転している状態においては、十分なトルク伝達力を得ることができる。
また、商用電源を使用することもできるが、正常に回転している状態の動作においては、大きなトルクを必要としないので、太陽電池の電力でも十分に回転させることができる。